(57)【要約】      （修正有）【課題】カメラモジュールのオートフォーカスと光学式手ブレ補正機構の一体構造を提供する。【解決手段】ＡＦコイル１２はレンズホルダ１１の外側に配置され、レンズホルダは第１のバネ４０を介してフレーム２０の中心に吊設され、フレームの側壁２１の内縁はＡＦコイルの外縁に近接している。フレームとレンズホルダの間に配置され、ＡＦコイルの外縁に対応し電流がＡＦコイルに印加されたとき電磁誘導がＡＦコイルと磁石３０の間に生じレンズホルダが光軸に沿って前後に駆動される複数の磁石、光軸方向でフレームを吊設するように構成された複数の吊設部材６０、イメージセンサに近接したフレームの一端に配置され複数の第１のファインパターンコイルを有し、各第１のファインパターンコイルは磁石の中の１つに対応し、電流が第１のファインパターンコイルに印加されたときフレームが光軸に対して横方向に駆動される第１の駆動板７０を含む。【選択図】図２
2018097359.tif 000002
【特許請求の範囲】
【請求項１】
レンズをその中に保持し、前記レンズおよびイメージセンサは、光軸上に配置され、ＡＦコイルがその外側に配置されるように構成されるレンズホルダ、
第１のバネを介して前記レンズホルダが中心に吊設され、側壁の内縁は前記ＡＦコイルの外縁に近接しているが接触していないフレーム、
前記フレームと前記レンズホルダの間に配置され、前記ＡＦコイルの外縁に対応し、電流が前記ＡＦコイルに印加されたとき、電磁誘導が前記ＡＦコイルとの間に生じ、前記レンズホルダが前記光軸（即ちＺ軸）に沿って前後に駆動される複数の磁石、
前記光軸の方向で前記フレームを吊設するように構成された複数の吊設部材、
前記イメージセンサに近接した前記フレームの一端に配置され、複数の第１のファインパターンコイルを有し、各前記第１のファインパターンコイルは、前記磁石の中の１つに対応し、電流が前記第１のファインパターンコイルに印加されたとき、電磁誘導が前記第１のファインパターンコイルと前記磁石の間に生じ、前記フレームが前記光軸に対して横方向（即ち、Ｘ軸またはＹ軸に沿って）に駆動される第１の駆動板、を含むオートフォーカス（ＡＦ）および光学式手ブレ補正（ＯＩＳ）機構の一体構造。
【請求項２】
前記フレームは、金属材料を含み、前記フレームの各２つの隣接する側壁および前記ＡＦコイルの外縁は、その間に角空間を形成し、前記磁石は前記角空間にそれぞれ配置される請求項1に記載のオートフォーカスおよび光学式手ブレ補正機構の一体構造。
【請求項３】
各前記角空間は、その中に配置されたＬ字状プレートを更に有し、前記Ｌ字状プレートは、
三角形状を有し、三角形の２つ側が前記フレームの前記２つの隣接する側壁の光軸方向における１つ側にそれぞれ接続された第１のプレート、および
長板状を有し、前記第１のプレートの三角形における前記２つ側とは異なる第３の側から前記２つの隣接する側壁の前記１つ側とは異なるもう１つ側に向けて延伸し、前記２つの隣接する側壁の間の角に面する第２のプレートを含み、
前記磁石は、前記第１のプレートと前記２つの隣接する側壁に近接し、間隙が前記磁石と前記第２のプレートの間に形成され、前記ＡＦコイルが前記間隙内に挿入される請求項２に記載のオートフォーカスおよび光学式手ブレ補正機構の一体構造。
【請求項４】
前記磁石は、前記角空間の形状と一致する台形状または三角形状を有し、前記ＡＦコイルの外縁に面する前記磁石の１つの面は、対向する前記ＡＦコイルの面の形状と一致する平面状または弧面状である請求項３に記載のオートフォーカスおよび光学式手ブレ補正機構の一体構造。
【請求項５】
前記ＡＦコイルの内縁に対応する前記Ｌ字状プレートの前記第２のプレートの１つの面は、対向する前記ＡＦコイルの面の形状と一致する平面状または弧面状である請求項３に記載のオートフォーカスおよび光学式手ブレ補正機構の一体構造。
【請求項６】
各前記磁石は、Ｌ字状パターンに配置された２つのストリップ状磁石を含み、且つ前記フレームの前記２つの隣接する側壁に近接する請求項３に記載のオートフォーカスおよび光学式手ブレ補正機構の一体構造。
【請求項７】
各前記第１のファインパターンコイルは、Ｌ字状パターンに配置された２つのコイルであるＸ軸コイルおよびＹ軸コイルを含み、前記２つのストリップ状磁石に含まれるＸ軸磁石およびＹ軸磁石にそれぞれ対応する請求項６に記載のオートフォーカスおよび光学式手ブレ補正機構の一体構造。
【請求項８】
前記イメージセンサから離れた前記フレームの１つ側に配置される第２の駆動板を更に含み、前記フレームが前記第１の駆動板と前記第２の駆動板の間に配置され、前記第２の駆動板は、前記磁石の中の１つにそれぞれ対応する複数の第２のファインパターンコイルを有し、前記磁石が前記第１のファインパターンコイルと前記第２のファインパターンコイルの間に配置される請求項1に記載のオートフォーカスおよび光学式手ブレ補正機構の一体構造。
【請求項９】
各前記第１のファインパターンコイルと、対応する前記第２のファインパターンコイルとは、電気的に接続され、対応する電磁駆動力を発生させる請求項８に記載のオートフォーカスおよび光学式手ブレ補正機構の一体構造。
【請求項１０】
各前記第２のファインパターンコイルは、Ｌ字状パターンに配置された２つのコイルであるＸ軸コイルおよびＹ軸コイルを含む請求項８に記載のオートフォーカスおよび光学式手ブレ補正機構の一体構造。
【請求項１１】
前記第１のバネは、前記フレームの１つ側に配置された薄いバネ板であり、前記レンズホルダは、前記イメージセンサに近接し、前記第１のバネは、前記磁石に接続することによって前記フレームに間接的に接続される請求項２に記載のオートフォーカスおよび光学式手ブレ補正機構の一体構造。
【請求項１２】
前記フレームと前記イメージセンサから離れた前記レンズホルダの１つ側に配置され、且つ前記フレームと前記レンズホルダの間に接続された薄いバネ板である第２のバネを更に含む請求項１1に記載のオートフォーカスおよび光学式手ブレ補正機構の一体構造。
【請求項１３】
前記第２のバネと前記フレームの間に配置された隔板を更に含み、前記隔板の中心は、前記レンズホルダを通過させる開口を有し、前記開口の内縁は、前記レンズホルダの外側の凹凸状表面に対応する凹凸形状を有し、前記レンズホルダが前記光軸に沿って前後にのみ移動するように前記レンズホルダの移動方向を規制する請求項1２に記載のオートフォーカスおよび光学式手ブレ補正機構の一体構造。
【請求項１４】
前記吊設部材は、前記第２のバネと前記第１の駆動板の間に接続される請求項1２に記載のオートフォーカスおよび光学式手ブレ補正機構の一体構造。
【請求項１５】
前記吊設部材は、前記フレームの前記角空間の外側に配置されたサスペンションワイヤである請求項1４に記載のオートフォーカスおよび光学式手ブレ補正機構の一体構造。
【請求項１６】
前記吊設部材は、前記第２のバネの４つの外縁に配置された陀形バネである請求項1４に記載のオートフォーカスおよび光学式手ブレ補正機構の一体構造。
【請求項１７】
前記陀形バネは、前記第２のバネから延伸し、前記第２のバネと一体成型される請求項1６に記載のオートフォーカスおよび光学式手ブレ補正機構の一体構造。
【請求項１８】
前記光軸を中心としたベース開口を有するベース、および
前記ベースに連結され、前記光軸を中心とした筐体開口を有する筐体を更に含み、
前記ベース開口および前記筐体開口は互いに対応して貫通孔を形成する請求項1に記載のオートフォーカスおよび光学式手ブレ補正機構の一体構造。
【請求項１９】
前記第１の駆動板は前記ベースの上に配置され、前記吊設部材は、前記ベースに接続することによって前記第１の駆動板に間接的に接続される請求項1８に記載のオートフォーカスおよび光学式手ブレ補正機構の一体構造。
【請求項２０】
前記ベースと前記第１の駆動板の間に積層された回路板を更に含み、前記回路板は、
振動を検出し、振動信号を発生して前記第１の駆動板に伝送するように用いられ、前記第１のファインパターンコイルが前記振動信号に基づいて、Ｘ軸またはＹ軸に沿って電磁駆動力を発生させる少なくとも１つの振動検出素子、および
Ｘ軸またはＹ軸の方向の前記フレームと前記第１の駆動板間の変位量を検出するように用いられる変位センサおよび検出用磁石を含む少なくとも１つの変位検出アセンブリを備える請求項1９に記載のオートフォーカスおよび光学式手ブレ補正機構の一体構造。
【発明の詳細な説明】
【技術分野】
【０００１】
本出願は、２０１６年１２月７日に出願された台湾特許出願番号第１０５１４０３５９号についての優先権を主張するものであり、これらの全ては引用によって本願に援用される。
【０００２】
本発明は、小型化されたカメラモジュールのオートフォーカス（ＡＦ）および光学式手ブレ補正（ＯＩＳ）機構の一体構造に関するものである。
【背景技術】
【０００３】
例えば携帯電話やタブレットＰＣなどの携帯用機器は、現在では、基本的な必要条件としてデジタルカメラの機能を備えており、これは、カメラモジュールの小型化により可能となった。また、携帯用機器は、通常、例えばオートフォーカス（ＡＦ）、防振（ａｎｔｉ‐ｓｈａｋｉｎｇ）などの他の機能を備えている。
【０００４】
一般的に、防振機能は、電子式手ブレ補正（ＥＩＳ）および光学式手ブレ補正（ＯＩＳ）を用いて実現することができる。ＥＩＳシステムは、イメージセンサによって撮像されたデジタル画像の品質を向上させる高度なアルゴリズムを用いるため、装置の振動に起因するボケ画像を補正する。しかしながら、ＥＩＳシステムの防振効果は、限定的である。ＯＩＳシステムは、カメラモジュールの手ブレ補正（ＩＳ）機構を含み、装置が振動したとき、レンズとイメージセンサ間の光学的フォーカスオフセットを調整するため、精密な焦点合わせを実現することができる。ＯＩＳシステムの防振効果は、ＥＩＳシステムの防振効果より優れている。
【０００５】
しかしながら、ＩＳ機構は、ＯＩＳシステムを用いたカメラモジュールの大きさを増加させる。従って、薄型化を必要とするほとんどの装置（例えば、最新式の携帯電話またはカメラ）は、ＯＩＳシステムよりもＥＩＳシステムだけを用いる。
【発明の概要】
【発明が解決しようとする課題】
【０００６】
小型化されたカメラモジュールのオートフォーカス（ＡＦ）および光学式手ブレ補正（ＯＩＳ）機構の一体構造を提供する。
【課題を解決するための手段】
【０００７】
上述の問題に鑑み、本発明の目的は、オートフォーカス（ＡＦ）および光学式手ブレ補正（ＯＩＳ）機構の一体構造を提供することであり、小型のカメラ（レンズ）モジュールが維持され、最新式の薄型化した携帯電話またはカメラに実装するのに適合するようにさせ、最も大きなレンズを最も小さな空間で用い、光学解像度を向上させることを可能にする。また、ＡＦおよびＯＩＳ機構の一体化のために、レンズモジュールの機能は、向上され、レンズモジュールの製品コストが減少する。
【０００８】
いくつかの実施形態に基づいて、オートフォーカス（ＡＦ）および光学式手ブレ補正（ＯＩＳ）機構の一体構造が提供され、レンズホルダ、フレーム、複数の磁石、複数の吊設部材、および第１の駆動板を含む。レンズホルダは、レンズをその中に保持するように構成される。レンズおよびイメージセンサは、光軸上に配置される。レンズホルダはその外側に配置されたＡＦコイルを有し、第１のバネを介してフレームの中心に吊設される。フレームの側壁の内縁は、外縁に近接しているが接触していない。磁石は、フレームとレンズホルダの間に配置され、ＡＦコイルの外縁に対応する。電流がＡＦコイルに印加されたとき、電磁誘導がＡＦコイルと磁石の間に生じ、レンズホルダが光軸に沿って（即ちＺ軸に沿って）前後に駆動される。吊設部材は、光軸の方向でフレームを吊設するように構成される。第１の駆動板は、イメージセンサに近接したフレームの一端に配置され、複数の第１のファインパターンコイルを有する。各第１のファインパターンコイルは、磁石の中の１つに対応する。電流が第１のファインパターンコイルに印加されたとき、電磁誘導が第１のファインパターンコイルと磁石の間に生じ、フレームが光軸に対して横方向（即ち、Ｘ軸および／またはＹ軸に沿って）に駆動される。
【０００９】
いくつかの実施形態に基づいて、フレームは、金属材料を含む。フレームの各２つの隣接する側壁およびＡＦコイルの外縁は、その間に角空間を形成する。磁石は角空間にそれぞれ配置される。
【００１０】
いくつかの実施形態に基づいて、各角空間は、その中に配置されたＬ字状プレートを更に有する。Ｌ字状プレートは、第１のプレートおよび第２のプレートを含む。第１のプレートは、三角形状を有し、第１のプレートの三角形の２つ側は、フレームの２つの隣接する側壁の光軸方向の１つ側にそれぞれ接続される。第２のプレートは、長板状を有し、第２のプレートは、第１のプレートの前記２つ側とは異なる第３の側から前記２つの隣接する側壁の前記１つ側とは異なるもう１つ側に向けて延伸し、前記２つの隣接する側壁の間の角に面する。磁石の中の1つは、第１のプレートと２つの隣接の側壁に近接し、間隙が磁石と第２のプレートの間に形成され、ＡＦコイルが間隙内に挿入されることができる。
【００１１】
いくつかの実施形態に基づいて、磁石は、角空間の形状と一致する台形状または三角形状を有する。また、ＡＦコイルの外縁に面する磁石の１つの面は、対向するＡＦコイルの面の形状と一致する平面状または弧面状である。
【００１２】
いくつかの実施形態に基づいて、ＡＦコイルの内縁に対応するＬ字状のプレートの第２のプレートの１つの面は、対向するＡＦコイルの面の形状と一致する平面状または弧面状である。
【００１３】
いくつかの実施形態に基づいて、各磁石は、Ｌ字状パターンに配置された２つのストリップ状磁石を含み、且つフレームの２つの隣接する側壁に近接する。
【００１４】
いくつかの実施形態に基づいて、各第１のファインパターンコイルは、Ｌ字状パターンに配置された２つのコイルであるＸ軸コイルおよびＹ軸コイルを含み、２つのストリップ状磁石に含まれるＸ軸磁石およびＹ軸磁石にそれぞれ対応する。
【００１５】
いくつかの実施形態に基づいて、ＡＦおよびＯＩＳ機構の一体構造は、イメージセンサから離れたフレームの１つ側に配置された第２の駆動板を更に含む。フレームは、第１の駆動板と第２の駆動板の間に配置される。第２の駆動板は、磁石の中の１つにそれぞれ対応する複数の第２のファインパターンコイルを有し、磁石が第１のファインパターンコイルと第２のファインパターンコイルの間に配置される。
【００１６】
いくつかの実施形態に基づいて、各前記第１のファインパターンコイルとそれに対応する第２のファインパターンコイルは、電気的に接続され、対応する電磁駆動力を発生させる。
【００１７】
いくつかの実施形態に基づいて、各第２のファインパターンコイルは、Ｌ字状パターンに配置された２つのコイルであるＸ軸コイルおよびＹ軸コイルを含む。
【００１８】
いくつかの実施形態に基づいて、第１のバネは、フレームの１つ側に配置された薄いバネ板であり、レンズホルダは、イメージセンサに近接する。第１のバネは、磁石に接続することによってフレームに間接的に接続される。
【００１９】
いくつかの実施形態に基づいて、ＡＦおよびＯＩＳ機構の一体構造は、第２のバネを更に含む。第２のバネは、フレームとイメージセンサから離れたレンズホルダの１つ側に配置され、且つフレームとレンズホルダの間に接続された薄いバネ板である。
【００２０】
いくつかの実施形態に基づいて、ＡＦおよびＯＩＳ機構の一体構造は、第２のバネとフレームの間に配置された隔板を更に含む。隔板の中心は、レンズホルダを通過させる開口を有する。開口の内縁は、レンズホルダの外側の凹凸状表面に対応する凹凸形状を有し、レンズホルダが光軸に沿って前後にのみ移動するように前記レンズホルダの移動方向を規制する。
【００２１】
いくつかの実施形態に基づいて、吊設部材は、第２のバネと第１の駆動板の間に接続される。
【００２２】
いくつかの実施形態に基づいて、吊設部材は、フレームの角空間の外側に配置されたサスペンションワイヤである。
【００２３】
いくつかの実施形態に基づいて、吊設部材は、第２のバネの４つの外縁に配置された陀形バネ（snake-shaped spring）である。
【００２４】
いくつかの実施形態に基づいて、陀形バネは、第２のバネから延伸し、第２のバネと一体成型される。
【００２５】
いくつかの実施形態に基づいて、ＡＦおよびＯＩＳ機構の一体構造は、ベースと筐体を更に含む。ベースは、光軸を中心としたベース開口を有する。筐体は、ベースに連結され、光軸を中心とした筐体開口を有する。ベース開口および筐体開口は互いに対応し、貫通孔を形成する。
【００２６】
いくつかの実施形態に基づいて、第１の駆動板はベースの上に配置される。吊設部材は、ベースに接続することによって第１の駆動板に間接的に接続される。
【００２７】
いくつかの実施形態に基づいて、ＡＦおよびＯＩＳ機構の一体構造は、少なくとも１つの振動検出素子および少なくとも１つの変位検出アセンブリを更に含む。振動検出素子は、振動を検出し、振動信号を発生して第１の駆動板に伝送するように用いられ、第１のファインパターンコイルが振動信号に基づいて、Ｘ軸またはＹ軸に沿って電磁駆動力を発生させる。変位検出アセンブリは、Ｘ軸またはＹ軸の方向のフレームと第１の駆動板間の変位量を検出するように用いられる変位センサおよび検出用磁石を含む。
【００２８】
本発明の目的、特徴、および利点を説明するために、本発明の好ましい実施形態および図面が以下に詳述される。
【図面の簡単な説明】
【００２９】
添付の図面とともに以下の本発明の様々な実施形態の詳細な説明を検討することで、本発明はより完全に理解できる。
【図１】本実施形態に係る、光軸上に配置されたレンズモジュール、レンズ、およびイメージセンサを示す概略図である。
【図２】図１のレンズモジュールの分解図である。
【図３】図１のラインＡ−Ａに沿った断面図である。
【図４】図１のラインＢ−Ｂに沿った断面図である。
【図５】図１のラインＣ−Ｃに沿った断面図である。
【図６】本実施形態に係る、部分要素の概略図である。
【図７】もう１つの本実施形態に係る、部分要素の概略図である。
【図８】またもう１つの本実施形態に係る、部分要素の概略図である。
【図９】本実施形態に係る、吊設部材が陀形バネであることを示す概略図である。
【図１０】もう１つの本実施形態に係る、吊設部材が陀形バネであることを示す概略図である。
【発明を実施するための形態】
【００３０】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００３１】
以下の詳細の説明では、配置を示す “on（上）”、 “above（上方）”、 “under（下）”、および “below（下方）”は、図に示された各素子の相対位置の関係を表すために用いられており、本発明を限定するものではない。また、下記の開示の第２の要素の上、または上方への第１の要素の形成は、第１と第２の要素が直接接触で形成される複数の実施形態を含むことができるか、または１つ以上の追加の素子を有する第１と第２の要素が第１と第２の要素間に形成された複数の実施形態を含むこともできる。
【００３２】
このほか、本開示は、種々の実施例において、参照符号および／または表示を繰り返し用いている。この繰り返しは、本開示を簡潔で明確にするためのものであり、それ自体が、種々の実施態様および／または議論された構造との間の関係を規定するものではない。種々の特徴は、簡潔で明確にするために、異なる寸法に任意に描かれることができる。また、本実施形態に示されない、または説明されないどの要素も、従来技術に公知の本発明の当業者に知られている要素とすることができる。
【００３３】
カメラ（レンズ）モジュールは、各種の例示的な実施形態に基づいて提供される。オートフォーカス（ＡＦ）および光学式手ブレ補正（ＯＩＳ）機構の一体構造によれば、レンズモジュールは、最も大きなレンズを最も小さな空間で用い、光学解像度を向上させることを可能にする。また、ＡＦおよびＯＩＳ機構の一体化のために、レンズモジュールの機能は、向上され、レンズモジュールの製品コストが減少する。
【００３４】
図１は、本実施形態に係る、光軸上に配置されたレンズモジュール、レンズ、およびイメージセンサを示す概略図である。図２は、図１のレンズモジュールの分解図である。図３は、図１のラインＡ−Ａに沿った断面図である。図４は図１のラインＢ−Ｂに沿った断面図である。図５は、図１のラインＣ−Ｃに沿った断面図である。
【００３５】
図１に示されるように、本発明に基づいたレンズモジュール１０は、レンズモジュール上に貫通孔（ｔｈｒｏｕｇｈ  ｈｏｌｅ）１０１を有する立方体の外観を有している。レンズ（カメラレンズ）２００は、貫通孔１０１の一端を介してレンズモジュール１０の中に実装され、貫通孔１０１のもう一端は、その下方にあるイメージセンサ３００に面する。貫通孔１０１の中心は、光軸１００の上に位置し、レンズ２００およびイメージセンサ３００が光軸１００の方向で結像を行うことができる。この実施形態では、レンズ２００は、円筒状構造を有し、貫通孔１０１の形状は、レンズ２００の形状に対応する円形である。いくつかの実施形態では、レンズ２００および貫通孔１０１の形状は、楕円形、長方形、または他の不規則な形状でもよい。
【００３６】
図２に示すように、立方体のレンズモジュール１０は、ベース１０２およびＵ字型の筐体１０３によって形成される。ベース１０２の中心は、光軸１００を中心としたベース開口を有する。Ｕ字型筐体１０３の開口は、ベース１０２に連結され、筐体１０３は、光軸１００を中心とした筐体開口も有する。ベース１０２のベース開口および筐体１０３の筐体開口は互いに対応し、貫通孔１０１を形成する。
【００３７】
この実施形態では、レンズモジュール１０は、筐体１０３およびベース１０２の他、オートフォーカス（ＡＦ）機構および光学式手ブレ補正（ＯＩＳ）機構を更に含む。ＡＦ機構は、レンズホルダ１１、ＡＦコイル１２、フレーム２０、４つの磁石３０、第１のバネ４０、および第２のバネ５０を含む。ＯＩＳ機構は、４つの磁石３０、第２のバネ５０、４つの吊設部材６０、および第１の駆動板（ｆｉｒｓｔ ｄｒｉｖｅｒ ｂｏａｒｄ）７０を含む。４つの磁石３０および第２のバネ５０は、ＡＦおよびＯＩＳ機構の共有部品（ｓｈａｒｅｄ ｃｏｍｐｏｎｅｎｔｓ）である。
【００３８】
レンズモジュール１０の詳細構造は、図２〜図５を参照に示されている。レンズホルダ１１は、中空の円筒状構造を有し、その中心は、光軸１００に配置され、上述の筐体開口に対応する。レンズホルダ１１は、その中にレンズ２００（図１を参照）を保持するように構成される。ＡＦコイル１２は、レンズホルダ１１の外側に配置される。いくつかの実施形態では、ＡＦコイル１２は、レンズホルダ１１の外側に巻回され、環状（例えば、円環状または八角形環状）を形成する。
【００３９】
図２〜図５に示されるように、フレーム２０は、対向側に２つの開口（これらの中心も光軸１００上に配置される）および４つの側壁２１を有する。この実施形態では、フレーム２０は、金属材料でできているが、本発明はそれに限定されるものではない。レンズホルダ１１は、第１のバネ４０および第２のバネ５０を介してフレーム２０の中心に吊設される。フレーム２０の側壁２１の内縁は、ＡＦコイル１２の外縁に近接しているが接触していない。また、フレーム２０の各２つの隣接する側壁２１およびＡＦコイル１２の外縁は、その間に角空間（ｃｏｒｎｅｒ ｓｐａｃｅ）２２を形成する（即ち、フレーム２０の４つの角に対応する４つの角空間２２がある）。各角空間は、その中に磁石３０を有する（フレーム２０とレンズホルダ１１の間に配置される）。いくつかの実施形態に基づいて、磁石３０は、角空間２２の形状と一致する台形または三角形の形状を有し、磁石３０は、ＡＦコイル１２の外側に配置され、ＡＦコイル１２に接触しない。電流がＡＦコイル１２に印加されたとき、電磁誘導がＡＦコイル１２と磁石３０の間に生じ（即ち、電磁駆動力がその間に発生される）、レンズホルダ１１が光軸１００に沿って（即ちＺ軸に沿って）前後に駆動され、レンズ２００およびイメージセンサ３００が結像を行うことができる。
【００４０】
また、各角空間２２は、その中に、第１のプレート２３１および第２のプレート２３２を含むＬ字状プレート２３を有する。第１のプレート２３１は、三角形状を有し、第１のプレート２３１の三角形の２つ側は、フレーム２０の２つの隣接する側壁２１の１つ側（例えばイメージセンサ３００から離れた側）にそれぞれ接続される。第２のプレート２３２は、長板状を有し、第２のプレート２３２は、第１のプレート２３１の三角形の第３の側から側壁２１のもう１つ側（例えばイメージセンサ３００に近い側）に向けて延伸し、２つの隣接する側壁２１の間の角に面する。この実施形態では、第２のプレート２３２の幅は、第１のプレート２３１の第３の側の幅より小さく、第２のプレート２３２の長さは、側壁２１の高さより小さいか、または側壁の高さと等しい。
【００４１】
留意すべきことは、この実施形態では、角空間２２に配置された磁石３０は、第１のプレート２３１および第２の隣接する側壁２１に隣接し、間隙が磁石３０と第２のプレート２３２の間に形成され、ＡＦコイル１２が間隙内に挿入されることができる。図４に示されるように、ＡＦコイル１２は、第２のプレート２３２と磁石３０の間に配置され、磁石３０と第２のプレート２３２に接触しない。Ｌ字状プレート２３は、フレーム２０の側壁２１から延伸するため、磁石３０の磁力線は、Ｌ字状プレート２３を介してＡＦコイル１２の内縁に延伸することができる。従って、ＡＦコイル１２の外縁と内縁の両方は、磁石と作用し、電磁駆動力を発生し、向上させる。
【００４２】
図６は、実施形態に係る部分要素の概略図である。図６に示されるように、ＡＦコイル１２は、八角形環状を有する。各磁石３０は、三角形状を有し、ＡＦコイル１２の外縁に面した磁石３０の面は、対向するＡＦコイル１２の面の形状と一致する平面状である。また、ＡＦコイル１２の内縁に対応するＬ字状プレート２３（図２を参照）の第２のプレート２３２の面も、対向するＡＦコイル１２の面の形状と一致する平面状である。
【００４３】
図７は、もう１つの実施形態に係る部分要素の概略図である。図７に示されるように、ＡＦコイル１２は、円筒状構造を有する。各磁石３０は、台形を有し、ＡＦコイル１２の外縁に面した磁石３０の面は、対向するＡＦコイル１２の面の形状と一致する弧面状である。また、ＡＦコイル１２の内縁に対応するＬ字状プレート２３（図２を参照）の第２のプレート２３２の面も、対向するＡＦコイル１２の面の形状と一致する弧面状である。
【００４４】
図８は、またもう１つの本実施形態に係る、部分要素の概略図である。図８に示されるように、各磁石３０は、Ｌ字状パターンに配置された２つのストリップ状磁石３１、１を含み、且つフレーム２０の２つの隣接する側壁２１に近接する。フレーム２０のＬ字状プレート２３の第２のプレート２３２は、平板であり、２つのストリップ状磁石３１、１の中の１つに近接する。ＡＦコイル１２は、凹凸状の形状で形成され、磁石３１、１の形状に適合する。いくつかの実施形態では、第２のプレート２３２もＬ字状のプレートであり、２つのストリップ状磁石３１、１に近接することができる。
【００４５】
図２から図５に示すように、第１のバネ４０および第２のバネ５０の両方は、フレーム２０およびレンズホルダ１１の間に接続される。従って、レンズホルダ１１は、フレーム２０の中心に弾性的に懸架され、光軸１００に沿って前後に移動することができる。具体的に言えば、第１のバネ４０は、フレーム２０の１つ側に配置された薄いバネ板であり、レンズホルダ１１は、イメージセンサ３００に近接する。この実施形態では、第１のバネ４０は、磁石３０に接続することによってフレーム２０に間接的に接続される。第２のバネ５０もフレーム２０とイメージセンサ３００から離れたレンズホルダ１１の１つ側に配置された薄いバネ板である。
【００４６】
この実施形態では、隔板５５も第２のバネ５０とフレーム２０の間に配置され、隔板５５の中心は、レンズホルダ１１を通過させる開口を有する。図２に示されるように、各隔板５５の開口の内縁は、レンズホルダ１１の外側の凹凸状表面に対応する凹凸形状を有し、レンズホルダ１１が光軸１００に沿って前後にのみ移動するようにレンズホルダ１１の移動を規制し、レンズホルダ１１が光軸１００の周りを回転するのを防ぐ。図４に示されるように、隔板５５は、フレーム２０の上部および第２のバネ５０の外周部に接続され、且つ隔板５５は、非導電性材料（例えば、プラスチック）を含むことができ、フレーム２０および第２のバネ５０が隔板５５によって電気的に絶縁される。この実施形態では、第２のバネ５０もＡＦコイル１２に電気的に接続される。
【００４７】
図２〜図５に示すように、吊設部材６０は、その中のフレーム２０とＡＦ機構とレンズ２００を光軸１００の方向で筐体１０３の内部に吊設し、レンズ２００がベース１０２の外側のイメージセンサ３００（図１を参照）に面することができる。また、第１の駆動板７０は、ベース１０２の上に配置され、４つの第１のファインパターンコイル（ＦＰコイル、図示されていない）を有する。各第１のファインパターンコイルは、磁石３０の中の１つに対応する。従って、電流が第１のファインパターンコイルに印加されたとき、電磁誘導が第１のファインパターンコイルと磁石３０の間に生じ（即ち、電磁駆動力がその間に発生される）、フレーム２０が光軸１００に対して横方向（即ち、Ｘ軸および／またはＹ軸に沿って）に駆動される。その結果、レンズ２００とイメージセンサ３００の間の振動により生じた像ブレを調整または補正することができる。
【００４８】
この実施形態では、吊設部材６０は、フレーム２０の角空間２２の外側に配置されたサスペンションワイヤであり、第２のバネ５０および第１の駆動板７０の間に接続される。具体的に言えば、吊設部材６０は、ベース１０２に接続することによって第１の駆動板７０に間接的に接続される。また、回路板８０は、ベース１０２と第１の駆動板７０の間に積層され、回路板８０は、その上にＡＦ駆動回路とＯＩＳ駆動回路を含む。
【００４９】
図９は、本実施形態に係る、吊設部材が陀形バネ（snake-shaped springs）であることを示す概略図である。図９に示されるように、吊設部材は、陀形バネ６１であることもできる。陀形バネ６１は、第２のバネ５０の４つの外縁の中心から延伸し、第２のバネ５０と一体成型される。また、陀形バネ６１は、第１の駆動板７０の方向に向けて湾曲され、第１の駆動板７０に接続される。
【００５０】
図１０は、もう１つの本実施形態に係る、吊設部材が陀形バネであることを示す概略図である。図１０に示されるように、陀形バネ６１も第２のバネ５０の４つの外縁の端部から延伸され、第２のバネ５０と一体成型される。また、陀形バネ６１は、第１の駆動板７０の方向に向けて湾曲され、第１の駆動板７０に接続される。
【００５１】
上述の実施形態のレンズモジュールでは、磁石３０がＡＦ機構とＯＩＳ機構の共有部品であり、且つ磁石のサイズがフレーム２０の４つの角空間２２によって制限されるため、最大のレンズが最小の空間で用いられ、光学解像度を向上させることができる。
【００５２】
ＯＩＳ機構と磁石３０の間の電磁駆動力を向上させるために、第２の駆動板７２（図２〜図４）がイメージセンサ３００から離れたフレーム２０の１つ側に更に配置され、フレーム２０が第１の駆動板７０と第２の駆動板７２の間に配置される。第１の駆動板７０に類似して、第２の駆動板７２も４つの第２のファインパターンコイル（図示されていない）を有し、各第２のファインパターンコイルは、磁石３０の１つに対応する。磁石３０は、第１のファインパターンコイルと第２のファインパターンコイルの間に配置される。この実施形態では、２つの電気的接続ケーブル７１は、第１の駆動板７０と第２の駆動板７２の間に更に配置され、各第１のファインパターンコイルを対応する第２のファインパターンコイルに電気的に接続し、対応し、且つ一致した電磁駆動力を磁石３０の両側に発生させる。
【００５３】
いくつかの実施形態では、各第１のファインパターンコイルは、Ｌ字状パターン（図示されていない）に配置された２つのコイルであるＸ軸コイルおよびＹ軸コイルを含み、各磁石３０もＸ軸およびＹ軸コイルに対応する２つのストリップ状磁石に含まれるＸ軸磁石およびＹ軸磁石（図８参照）を含む。また、各第２のファインパターンコイルもＬ字状パターン（図示されていない）に配置された２つのコイルであるＸ軸コイルおよびＹ軸コイルを含み、各磁石３０のＸ軸磁石およびＹ軸磁石に対応する。
【００５４】
上述の実施形態では、ＯＩＳ機構は、少なくとも１つの振動検出素子（図示されていない）および例えば回路板８０の上に配置された少なくとも１つの変位検出アセンブリ（ｄｉｓｐｌａｃｅｍｅｎｔ ｓｅｎｓｉｎｇ ａｓｓｅｍｂｌｙ）（図示されていない）も含むことができる。振動検出素子は、一般的に高機能携帯電話またはタブレットＰＣに実装される、ジャイロセンサ、加速度計などであることができる。振動検出素子は、振動を検出し、振動信号を発生して第１の駆動板に伝送するように用いられ、第１のファインパターンコイルが振動信号に基づいて、Ｘ軸またはＹ軸に沿って電磁駆動力を発生させる。変位検出アセンブリは、変位センサおよび検出用磁石を含む。変位センサは、二軸（Ｘ軸およびＹ軸）検出ＩＣ、ホールセンサ、ＭＲセンサ、フラックスゲート、光位置センサ、光学エンコーダなどであることができ、Ｘ軸および／またはＹ軸の検出用磁石に対応する（例えば、Ｘ軸およびＹ軸の磁石３０は、変位検出アセンブリの検出用磁石として共有、および使用される）。変位検出アセンブリは、Ｘ軸またはＹ軸の方向のフレーム２０と第１の駆動板７０間の変位量を検出し、第１の駆動板７０にフィードバックし、フレーム２０の変位を精密に制御するのに用いられる。
【００５５】
本発明は、例として及び望ましい実施の形態によって記述されているが、本発明は開示された実施形態に限定されるものではない。逆に、当業者には自明の種々の変更及び同様の配置をカバーするものである。よって、添付の特許請求の範囲は、最も広義な解釈が与えられ、全てのこのような変更及び同様の配置を含むべきである。
【符号の説明】
【００５６】
１０  レンズモジュール
１１  レンズホルダ
１２  ＡＦコイル
２０  フレーム
２１  側壁
２２  角空間
２３  Ｌ字状プレート
３０  磁石
３１  磁石
４０  第１のバネ
５０  第２のバネ
５５  隔板
６０  吊設部材
６１  陀形バネ
７０  第１の駆動板
７１  電気的接続ケーブル
７２  第２の駆動板
８０  回路板
１００  光軸
１０１  貫通孔
１０２  ベース
１０３  筐体
２００  レンズ
２３１  第１のプレート
２３２  第２のプレート
３００  イメージセンサ
【図１】
2018097359.tif 000003
【図２】
2018097359.tif 000004
【図３】
2018097359.tif 000005
【図４】
2018097359.tif 000006
【図５】
2018097359.tif 000007
【図６】
2018097359.tif 000008
【図７】
2018097359.tif 000009
【図８】
2018097359.tif 000010
【図９】
2018097359.tif 000011
【図１０】
2018097359.tif 000012